(57)【特許請求の範囲】
【請求項１】
建物の外部と室内とを室外吸込口と室内吹出口を通じて繋がる給気通風路と、同建物の室内と外部とを第一の室内吸込口と室外吹出口を通じて繋がる排気通風路と、前記給気通風路に前記室外吸込口から室内吹出口へ向う気流を形成する送風機と、前記排気通風路に前記第一の室内吸込口から室外吹出口へ向う気流を形成する送風機と、前記給気通風路と排気通風路との一部を構成し、両者を流れる気流間での熱交換を行なう熱交換器とを備えた換気装置であって、前記給気通風路に、前記室外吸込口側を閉止して室内に通じる第二の室内吸込口を開放する第一の風路切換手段を設けて室内の空気を循環させる循環通風路を構成し、前記排気通風路には前記熱交換器に至る直前部分の前記給気通風路を横断して前記室外吹出口へ第二の風路切換手段により通じるバイパス通風路を設け、前記給気通風路でかつ前記循環通風路でもある風路には脱臭フィルターを設けた換気装置。
【請求項２】
請求項１に記載の換気装置であって、第一と第二の風路切換手段を連動させた換気装置。
【発明の詳細な説明】
【０００１】
【発明の属する技術分野】
本発明は、外気の取入れと室内の空気の排気を熱交換しながら行なう換気装置に関するものである。
【０００２】
【従来の技術】
外気を室内へ取入れる給気系と、室内の空気を室外へ排気する排気系を備え、給排気流間で連続的な熱交換を行なわせる換気装置は、温度や湿度といった状態量の変動の少ない換気を行なうことができる。こうした熱交換換気を行なう換気装置に脱臭フィルターを設け、室内へ取入れる空気のみならず、排気する空気の臭気も取除くようにした特開平３―９５３３７号公報に示されているような換気装置が開発されている。この換気装置によれば、室内の臭気を帯びた空気を脱臭フィルターによって脱臭して排気し、室外の空気を脱臭フィルターを通して清浄化して室内へ吸気することができ、近隣への臭気の拡散を抑えた熱交換換気が実施できる。
【０００３】
【発明が解決しようとする課題】
しかしながら、熱交換換気装置は、定常的な熱交換を伴う給排気による換気を行うものであるため、急激に室内の空気が、臭気等で汚濁した場合でも室内の状態量の変動を抑えた熱交換換気を行うため、室内の空気の臭気等による汚濁が解消するまで時間がかかるといった問題点がある。
【０００４】
本発明は、係る従来の問題点を解決するためになされたものであって、その課題とするところは、通常は、給気又は排気で脱臭しながら換気するとともに、室内の空気の臭気等による汚濁を短時間に解消できる熱交換換気機能を有する換気装置を得ることであり、その装置の保守性を高めることである。
【０００５】
【課題を解決するための手段】
前記課題を達成するために請求項1の発明は、建物の外部と室内とを室外吸込口と室内吹出口を通じて繋がる給気通風路と、建物の室内と外部とを第一の室内吸込口と室外吹出口を通じて繋がる排気通風路と、給気通風路に室外吸込口から室内吹出口へ向う気流を形成する送風機と、排気通風路に前記第一の室内吸込口から室外吹出口へ向う気流を形成する送風機と、給気通風路と排気通風路との一部を構成し、両者を流れる気流間での熱交換を行なう熱交換器とを備えた換気装置について、その給気通風路に、室外吸込口側を閉止して室内に通じる第二の室内吸込口を開放する第一の風路切換手段を設けて室内の空気を循環させる循環通風路を形成し、排気通風路には熱交換器に至る直前部分の給気通風路を横断して室外吹出口へ第二の風路切換手段により通じるバイパス通風路を設け、給気通風路でかつ循環通風路でもある風路には脱臭フィルターを設ける手段を採用する。
【０００６】
前記課題を達成するために請求項２の発明は、請求項１に係る前記手段における第一と第二の風路切換手段を連動させる手段を採用する。
【０００９】
【発明の実施の形態】
実施の形態１．
図１〜図３によって示す本実施の形態は、外気の取入れと室内の空気の排気を熱交換しながら行なう換気装置に関するものである。この換気装置は、図１に全体を横断して示すように、建物の外部と室内とを室外吸込口１と室内吹出口２を通じて繋がる給気通風路３と、建物の室内と外部とを第一の室内吸込口４と室外吹出口５を通じて繋がる排気通風路６とが本体箱体７に構成されている。本体箱体７の前面には化粧パネル８が係脱可能に装着され、本体箱体７の給気通風路３の室内吹出口２と、排気通風路６の第一の室内吸込口４がそれぞれ化粧パネル８の左右に開口している。
【００１０】
給気通風路３の室外吸込口１と排気通風路６の室外吹出口５は、本体箱体７の背面の略中央に横並びに隣接して設けられていて、それらのいずれも建物の外部に連絡できるようになっている。給気通風路３には室外吸込口１から室内吹出口２へ向う気流を形成する送風機９が、排気通風路６には第一の室内吸込口４から室外吹出口５へ向う気流を形成する送風機１０が組込まれている。給気通風路３と排気通風路６との一部は、それぞれ独立して交差する流体通路を持つ積層型の熱交換器１１の各流体通路によって構成され、熱交換器１１の各流体通路を流れる給排気流間で連続的な熱交換が行なわれる。
【００１１】
即ち、第一の室内吸込口４から送風機１０によって吸込まれた室内の空気は、本体箱体７の前面側を横方向に流れ熱交換器１１の一方の流体通路を経て本体箱体７の背面側に向い、室外吹出口５から室外へ排気される。一方、本体箱体７の背面の室外吸込口１から送風機９によって吸込まれた室外の空気は、本体箱体７の背面側に構成された給気通風路３を経て熱交換器１１の他方の流体通路を通り室内吹出口２から室内へ吹出され、熱交換器１１において給排気流間での熱交換が行なわれる。
【００１２】
給気通風路３には、室外吸込口１側を閉止して、送風機９の吸込口に通じる第二の室内吸込口１２を開放する第一の風路切換手段１３が設けられ、排気通風路６には熱交換器１１を迂回して室外吹出口５へ連絡させる第二の風路切換手段１４が設けられている。第二の風路切換手段１４は、熱交換器１１に至る前側の給気通風路３と排気通風路６とを離隔する隔壁１５に配設されていて、その開成によって熱交換器１１に至る直前部分の給気通風路３を横断して室外吹出口５に通じるバイパス通風路１６を形成する。給気通風路３と排気通風路６の熱交換器１１の流体通路に通じる前段には、前方からの抜差しにより着脱できるフィルターが装着されている。
【００１３】
このフィルターは、図３に示すように排気通風路６における熱交換器１１への気流から塵埃を除去するエアーフィルター１７と、給気通風路３を流れる気流から臭気成分を除去する脱臭フィルター１８とが単一の枠構造体１９に装着され、化粧パネル８を外した状態で本体箱体７の前面から抜差しすることができる。この構成を採ることにより、エアーフィルター１７と脱臭フィルター１８の扱いがひとまとめにしてでき、フィルター類の保守性が向上する。
【００１４】
この換気装置は室内の壁等に設置し、室外吹出口５と室外吸込口１とを壁等を貫通させて建物の外に臨ませることによって、換気機能を果たす。通常の場合、図１に示すように、第一の風路切換手段１３により、室外吸込口１側の給気通風路３は開放され、第二の室内吸込口１２は閉止されていて、第二の風路切換手段１４により、バイパス通風路１６も閉止されている。各送風機９，１０の運転とともに給気通風路３に室外吸込口１から室内吹出口２へ向う給気流が形成され、排気通風路６に第一の室内吸込口４から室外吹出口５へ向う排気流が形成され、両気流間での熱交換が熱交換器１１において連続的に行なわれる。この給排気による熱交換換気運転は小風量で行なわれる。
【００１５】
室内の空気がペットの排泄や喫煙等による臭気成分で急激に汚濁した場合、図２に示すように第一の風路切換手段１３により、室外吸込口１側は閉止され、第二の室内吸込口１２が開放される。これと同時に第二の風路切換手段１４により、バイパス通風路１６が開放される。これにより、第一の室内吸込口４から吸込まれた室内の空気は、バイパス通風路１６と熱交換器１１側とに分流し、排気通風路６において合流して室外吹出口５及び室外吸込口１へ流れ出る。一方、第二の室内吸込口１２から送風機９によって吸込まれた室内の空気は、給気通風路３を通り、バイパス通風路１６を流れる室内の空気の一部とともに脱臭フィルター１８を通過して熱交換器１１に入り、熱交換器１１を経て室内吹出口２から室内へ吹出される。つまり、室内の空気を送風機９によって循環させながら脱臭する一方で、室内の空気の一部を室外へ排出する排気による循環換気を行なう。従って、室内の臭気成分は速やかに除去され、室内の空気は短時間で浄化される。
【００１６】
実施の形態２．
図４と図５によって示す本実施の形態は、実施の形態１で示した換気装置の第一と第二の風路切換手段１３，１４を連結させ、室外へ排出する排気についても臭気成分を除去できるようにしたものであり、基本的な構成は実施の形態１のものと同じである。従って、実施の形態１のものと同じ部分については実施の形態１のものと同じ符号を用いそれらについての説明は省略する。
【００１７】
本実施の形態における換気装置の化粧パネル８の第一の室内吸込口４に対応する部分の背面に脱臭フィルター２０が係脱可能に装着されている。給気通風路３の第一の風路切換手段１３は、横方向の往復動で室外吸込口１側の開閉と、第二の室内吸込口１２の閉開を行なうようにモーター（図示しない）によりスライドするスライダー２１で構成され、排気通風路６の第二の風路切換手段１４は、スライダー２１の先端部２２と、先端部２２に係合された揺動部材２３で構成され、第一と第二の風路切換手段１３，１４は連結されている。
【００１８】
スライダー２１がモーターによって横方向に往復動することにより、第一の風路切換手段１３と第二の風路切換手段１４が連動して動き、図４に示すような熱交換換気と、図５に示すような室内の空気を循環させながら脱臭し、一部を室外へ排気する循環換気の切換えを行なう。熱交換換気においても脱臭フィルター２０，１８を排気流と給気流が通過するため、室外への排気に伴う臭気の放出はなく近隣に臭気による迷惑を掛けずにすむ。循環換気においては、二段の脱臭フィルター１８，２０で室内の空気の臭気成分を除去し、室外へ排出する空気についても脱臭フィルター２０を通すことにより、臭気成分を除去したものとなる。
【００１９】
第一と第二の風路切換手段１３，１４の切換えは、スライダー２１により連動する構成であるため雑ガスセンサーの出力値に応じてスライダー２１を動かすモーターを正逆転させる制御回路を備えることによって自動的に行なわせることもでき構成も簡素になる。これ以外の機能は実施の形態１のものと同じである。
【００２０】
【発明の効果】
請求項１の発明によれば、室内の空気の臭気等による汚濁を短時間に解消できる熱交換換気機能を有する換気装置が得られる。
【００２１】
請求項２の発明によれば、請求項１に係る前記効果とともに構成を簡素化できる。
【図面の簡単な説明】
【図１】  実施の形態1の換気装置の熱交換換気時を示す横断平面図である。
【図２】  実施の形態1の換気装置の循環換気時を示す横断平面図である。
【図３】  実施の形態1のフィルターを示す斜視図である。
【図４】  実施の形態２の換気装置の熱交換換気時を示す横断平面図である。
【図５】  実施の形態２の換気装置の循環換気時を示す横断平面図である。
【符号の説明】
１  室外吸込口、  ２  室内吹出口、  ３  給気通風路、  ４  第一の室内吸込口、  ５  室外吹出口、  ６  排気通風路、  ９  送風機、  １０  送風機、１１  熱交換器、  １２  第二の室内吸込口、  １３  第一の風路切換手段、１４  第二の風路切換手段、  １６  バイパス通風路、  １７  エアーフィルター、  １８  脱臭フィルター、  １９  枠構造体、  ２０  脱臭フィルター、２１  スライダー。
【図１】
0003719409.tif 000002
【図２】
0003719409.tif 000003
【図３】
0003719409.tif 000004
【図４】
0003719409.tif 000005
【図５】
0003719409.tif 000006